(57)【特許請求の範囲】
【請求項１】
一次側流路と二次側流路を弁口を介して連通する様に設け、該弁口の二次側開口部端面に設けた弁座に着離自在な弁体と、該弁体に弁棒を介して連結されると共に、二次側流路の圧力変動で変位する最下層ダイヤフラムとを備えた弁箱と、最下層ダイヤフラムと同形の上層ダイヤフラム周縁を圧接可能なカバーフランジを設け、上層ダイヤフラムを弁体の開弁方向へ付勢する調節バネを内装すると共に、該調節バネを開弁方向へ押圧する様に調節ねじを上下動自在に螺入したバネカバーと、該バネカバーと弁箱との間に少なくとも１基以上の上層ダイヤフラム追加ユニットを介装連結して成り、該上層ダイヤフラム追加ユニットは、上層ダイヤフラムで上方開口部が閉塞されると共に、二次側流路に接続可能な凹型圧力室と、該凹型圧力室の底板で区画されて最下層ダイヤフラム又は他の上層ダイヤフラムを被冠すると共に、最下層ダイヤフラム又は他の上層ダイヤフラムを弁体の開弁方向へ付勢する弁バネを内装するダイヤフラム室とを設け、上層ダイヤフラムの上下に連接弁棒を貫通突設し、該連接弁棒の下端を前記底板中央に摺動自在に水密挿通して最下層ダイヤフラムを貫通突出した弁棒の上端又は他の上層ダイヤフラムを貫通突出した連接弁棒の上端に連結可能と成したことを特徴とする減圧弁。
【請求項２】
一次側流路と二次側流路を弁口を介して連通する様に設け、該弁口の二次側開口部端面に設けた弁座に着離自在な弁体と、該弁体に弁棒を介して連結されると共に、二次側流路の圧力変動で変位する最下層ダイヤフラムとを備えた弁箱と、最下層ダイヤフラムと同形の上層ダイヤフラム周縁を圧接可能なカバーフランジを設け、上層ダイヤフラムを弁体の開弁方向へ付勢する調節バネを内装すると共に、該調節バネを開弁方向へ押圧する様に調節ねじを上下動自在に螺入したバネカバーとの間に少なくとも１基以上を介装連結して減圧弁を構成する上層ダイヤフラム追加ユニットであって、該上層ダイヤフラム追加ユニットは、上層ダイヤフラムで上方開口部が閉塞されると共に、二次側流路に接続可能な凹型圧力室と、該凹型圧力室の底板で区画されて最下層ダイヤフラム又は他の上層ダイヤフラムを被冠すると共に、最下層ダイヤフラム又は他の上層ダイヤフラムを弁体の開弁方向へ付勢する弁バネを内装するダイヤフラム室とを設け、上層ダイヤフラムの上下に連接弁棒を貫通突設し、該連接弁棒の下端を前記底板中央に摺動自在に水密挿通して最下層ダイヤフラムを貫通突出した弁棒の上端又は他の上層ダイヤフラムを貫通突出した連接弁棒の上端に連結可能と成したことを特徴とする上層ダイヤフラム追加ユニット。
【発明の詳細な説明】
【技術分野】
【０００１】
本発明は、減圧弁と、これに用いる上層ダイヤフラム追加ユニットに関する。
【背景技術】
【０００２】
特許文献１には、一次側流路と二次側流路を弁口を介して連通する様に設け、該弁口の二次側開口部端面に設けた弁座に着離自在な弁体と、該弁体に弁棒を介して連結されると共に、二次側流路の圧力変動で変位するダイヤフラムとを備えた弁箱と、前記ダイヤフラム周縁を圧接可能なカバーフランジを設け、ダイヤフラムを弁体の開弁方向へ付勢する調節バネを内装すると共に、該調節バネを開弁方向へ押圧する様に調節ねじを上下動自在に螺入したバネカバーとから成る減圧弁が開示されている。
【０００３】
この減圧弁は、調節ねじのバネカバー内への螺入による上下位置によって調節バネの付勢力を、ダイヤフラムの受圧面積と二次側圧力との積に対応する弁体の閉弁力に調節し、水道水の使用による二次側の圧力低下にダイヤフラムが応動して弁体を開弁させ、一次側から供給される高圧な水道水を弁口を通して所望の設定圧力に減圧して二次側へ流入させる様に成している。
【先行技術文献】
【特許文献】
【０００４】
【特許文献１】特開２０１３−１２７８０３号公報
【発明の概要】
【発明が解決しようとする課題】
【０００５】
ところで、上記構成の減圧弁では、その流量を増やすために弁口径を大きくすると、弁体の受圧面積が必然的に拡大し、弁体に対する開弁力が増大するため、この開弁力に対応する様にダイヤフラムも大径化しなければならないので、ダイヤフラムの遠心方向に減圧弁を拡径形成することになる。
【０００６】
そうなると、減圧弁を設置した配管に隣接する別途配管やその他の機器に干渉することになり、その拡径化した減圧弁の設置スペースの確保に困難を来たしたり、配管に対する減圧弁の取付位置や姿勢を変更するなどの手間を要するといった不具合を招来することになる。
【０００７】
そこで、本発明では、弁口の拡径によって増大する弁体の受圧面積と一次側圧力との積に対応する弁体の開弁力に対する閉弁力を、ダイヤフラムを拡径することなく、既存のダイヤフラムを多段化し、各ダイヤフラムの延べ面積と二次側圧力の積で対応してダイヤフラムの遠心方向への大型化を回避する様にした減圧弁と、これに用いる上層ダイヤフラム追加ユニットを提供することを目的としている。
【課題を解決するための手段】
【０００８】
上記課題に鑑み、本発明に係る減圧弁は、一次側流路と二次側流路を弁口を介して連通する様に設け、該弁口の二次側開口部端面に設けた弁座に着離自在な弁体と、該弁体に弁棒を介して連結されると共に、二次側流路の圧力変動で変位する最下層ダイヤフラムとを備えた弁箱と、最下層ダイヤフラムと同形の上層ダイヤフラム周縁を圧接可能なカバーフランジを設け、上層ダイヤフラムを弁体の開弁方向へ付勢する調節バネを内装すると共に、該調節バネを開弁方向へ押圧する様に調節ねじを上下動自在に螺入したバネカバーと、該バネカバーと弁箱との間に少なくとも１基以上の上層ダイヤフラム追加ユニットを介装連結して成り、該上層ダイヤフラム追加ユニットは、上層ダイヤフラムで上方開口部が閉塞されると共に、二次側流路に接続可能な凹型圧力室と、該凹型圧力室の底板で区画されて最下層ダイヤフラム又は他の上層ダイヤフラムを被冠すると共に、最下層ダイヤフラム又は他の上層ダイヤフラムを弁体の開弁方向へ付勢する弁バネを内装するダイヤフラム室とを設け、上層ダイヤフラムの上下に連接弁棒を貫通突設し、該連接弁棒の下端を前記底板中央に摺動自在に水密挿通して最下層ダイヤフラムを貫通突出した弁棒の上端又は他の上層ダイヤフラムを貫通突出した連接弁棒の上端に連結可能と成したことを特徴とする。
また、本発明に係る減圧弁に用いる上層ダイヤフラム追加ユニットは、上記弁箱と、バネカバーとの間に少なくとも１基以上を介装連結して減圧弁を構成するものにして、上層ダイヤフラムで上方開口部が閉塞されると共に、二次側流路に接続可能な凹型圧力室と、該凹型圧力室の底板で区画されて最下層ダイヤフラム又は他の上層ダイヤフラムを被冠すると共に、最下層ダイヤフラム又は他の上層ダイヤフラムを弁体の開弁方向へ付勢する弁バネを内装するダイヤフラム室とを設け、上層ダイヤフラムの上下に連接弁棒を貫通突設し、該連接弁棒の下端を前記底板中央に摺動自在に水密挿通して最下層ダイヤフラムを貫通突出した弁棒の上端又は他の上層ダイヤフラムを貫通突出した連接弁棒の上端に連結可能と成したことを特徴とする。
【発明の効果】
【０００９】
要するに本発明は、上記の様に減圧弁におけるバネカバーと弁箱との間に少なくとも１基以上の上層ダイヤフラム追加ユニットを介装連結して成り、該上層ダイヤフラム追加ユニットは、上層ダイヤフラムで上方開口部が閉塞されると共に、二次側流路に接続可能な凹型圧力室と、該凹型圧力室の底板で区画されて最下層ダイヤフラム又は他の上層ダイヤフラムを被冠すると共に、最下層ダイヤフラム又は他の上層ダイヤフラムを弁体の開弁方向へ付勢する弁バネを内装するダイヤフラム室とを設け、上層ダイヤフラムの上下に連接弁棒を貫通突設し、該連接弁棒の下端を前記底板中央に摺動自在に水密挿通して最下層ダイヤフラムを貫通突出した弁棒の上端又は他の上層ダイヤフラムを貫通突出した連接弁棒の上端に連結可能と成したので、流量を増やすために弁口径を大きくすると、弁体の受圧面積が必然的に拡大し、弁体に対する開弁力が増大するため、この開弁力に対応する様にダイヤフラムを大径化しなければならないといった大型化が必定な従来の減圧弁に対し、従来の様にダイヤフラムを拡径することなく、既製の同形（最下層及び上層）ダイヤフラムを多段化し、弁口の拡径によって増大する弁体の受圧面積と一次側圧力との積に対応する弁体の開弁力に対する閉弁力を、最下層ダイヤフラム及び上層ダイヤフラムの延べ面積と二次側圧力の積で対応する様にしてダイヤフラムの遠心方向への減圧弁の大型化を回避する。
よって本発明によれば、ダイヤフラムの遠心方向に拡径形成した従来の減圧弁では、これの拡径部分がその減圧弁を取付ける配管に隣接する別途配管やその他の機器に干渉するため、その拡径化した減圧弁の設置スペースの確保に困難を来たしたり、配管に対する減圧弁の取付位置や姿勢を変更するなどの手間を要するといった従来の不具合を解消できる。
また、ダイヤフラムを複数積層使用するにあたって、同じ上層ダイヤフラム追加ユニットを用いることにより、その組み付けを比較的簡単に行うことができ、しかも新たに開発する部品の数が減るので、その分のコストを下げることができる等その実用的効果甚だ大である。
【図面の簡単な説明】
【００１０】
【図１】本発明に係る減圧弁を示す閉弁状態の縦断面図である。
【図２】同上開弁状態の縦断面図である。
【図３】同上分解断面図である。
【図４】他例を示す閉弁状態の縦断面図である。
【図５】同上開弁状態の縦断面図である。
【図６】同上分解断面図である。
【図７】従前の減圧弁の断面図である。
【発明を実施するための形態】
【００１１】
以下本発明の実施の一形態例を図面に基づいて説明する。
図１〜６に示す本発明に係る減圧弁は、同一直線上に有する一次側流路１と二次側流路２を弁口３を介して連通する様に設け、該弁口３の二次側開口部端面3aに設けた弁座４に着離自在な弁体５と、該弁体５に弁棒６を介して連結されると共に、二次側流路２の圧力変動で変位する最下層ダイヤフラム７とを備えた弁箱８と、最下層ダイヤフラム７と同形の上層ダイヤフラム９周縁を圧接可能なカバーフランジ10ａを設け、上層ダイヤフラム９を弁体５の開弁方向へ付勢する調節バネ11を内装すると共に、該調節バネ11を開弁方向へ押圧する様に調節ねじ12を上下動自在に螺入したバネカバー10と、該バネカバー10と弁箱８との間に少なくとも１基以上の上層ダイヤフラム追加ユニット13を介装連結することにより構成されている。
【００１２】
なお、本発明に係る減圧弁は、図７に示す様に、弁箱８とバネカバー10とからなる従前の減圧弁に、１基以上の上層ダイヤフラム追加ユニット13を装備したものである。
【００１３】
弁箱８は、その左右側方に入口14及び出口15の夫々を開設すると共に、内部に入口14及び出口15の夫々に通ずる一次側流路１及び二次側流路２を設けている。
【００１４】
弁箱８内の中央には、一次側流路１と二次側流路２を上下に区画した隔壁16を設け、該隔壁16の水平部に弁口３を開設して両流路１、２を連通して成り、入口14と出口15の流路１、２を図示例ではＺ字形と成している。
【００１５】
弁箱８上部は、フランジ17ａを周設して最下層ダイヤフラム７で上方開口部が閉塞される円形皿状の凹型圧力室（以下、圧力検出室と称する。）17を設けている。
【００１６】
圧力検出室17は、その下部中央（弁箱８上部の弁口３との対応部位に相当）に円形状の開口部を設けて一次側流路１に連通し、該開口部に下方連続して所定長さの筒状部18を設けている。
【００１７】
筒状部18の下方周壁は、一次側流路１と二次側流路２との隔壁16に連続する様に垂下されると共に、その下方周壁において一次側流路１に面する部位の一部は一次側流路１に連通する様に開設されており、圧力検出室17下部と隔壁16において二次側流路２に対応する筒状部18との隣接部位を開設して二次側流路２と圧力検出室17とを連通している。
【００１８】
また、最下層ダイヤフラム７の中心には、筒状部18及び弁口３を挿通した弁棒６を垂下形成し、該弁棒６の下端には、弁口３を開閉する円板状の弁体５を設けている。
【００１９】
弁体５は一次側圧力を開弁方向に受ける様に、弁口３の二次側開口部端面3aに円環状に突設した弁座４に着離自在に設けて成り、最下層ダイヤフラム７の変位により開度が制御される様に成している。
【００２０】
また、弁体５は、円板状に形成された合成ゴム製の弁部5aを、これの弁座４との対向面（図において上面）のみを残して上方のみが開口された円形皿状の弁体カバー5b内に装填し、弁部5aの形状を保持している。
【００２１】
そして、弁棒６の上方部位には、筒状部18の内壁を摺動するピストン19を外方突設し、該ピストン19に周設した凹溝にＯリング20を装着し、一次側流路１と圧力検出室17とを水密状に区画している。
【００２２】
なお、ピストン19の有効受圧面積は、弁体５の一次側の有効受圧面積より若干大きく設定している。
【００２３】
ピストン19の直上に有する最下層ダイヤフラム７は、その上下面の夫々が、円板状のダイヤフラム押さえ21とダイヤフラム受け22で挟持されている。
【００２４】
最下層ダイヤフラム７の上面に接合したダイヤフラム押さえ21は、最下層ダイヤフラム７を貫通突出すると共に、雄ねじを螺刻した弁棒６の上端6aが貫通し、該弁棒上端6aは、ワッシャ23と所定高さのカラー24を挿通し、該カラー24より弁棒上端6aが所定長さ突出する様に成している（図３、６参照）。
【００２５】
最下層ダイヤフラム７の下面に接合したダイヤフラム受け22は、弁棒６に一体形成されると共に、筒状部18より大径に形成され、最下層ダイヤフラム７が最下限に変位した状態で、このダイヤフラム受け22が筒状部18の上方開口部端面に着座し、かかる状態での弁体５のリフトを規制している。
【００２６】
また、弁体５の下部中心には案内棒25を垂設し、該案内棒25は弁箱８の底部に凹設した筒状凹部26に摺動自在に挿嵌している。
【００２７】
バネカバー10は、下部開口端にカバーフランジ10ａを周設して成るハット型に形成され、その上端中心に雌ねじを螺刻した凸部10ｂを突設し、該凸部10ｂ上でシール座金27を挿通すると共に、ロックナット28を螺挿したボルトから成る調節ねじ12を凸部10ｂ上からバネカバー10内部へ螺入貫通している。
【００２８】
上層ダイヤフラム追加ユニット13（以下、単にユニット13と称する。）は、上層ダイヤフラム９で上方開口部29ａが閉塞されると共に、二次側流路２に接続可能な皿状の凹型圧力室29と、該凹型圧力室29の底板29ｂで区画されて最下層ダイヤフラム７又は他の上層ダイヤフラム９を水密状に被冠すると共に、必要に応じ最下層ダイヤフラム７又は他の上層ダイヤフラム９を弁体５の開弁方向へ付勢する弁バネ30を内装するハット型のダイヤフラム室31を設け、上層ダイヤフラム９の上下に連接弁棒32を貫通突設し、該連接弁棒32の下端32ｂを底板29ｂ中央に摺動自在に水密挿通して最下層ダイヤフラム７を貫通突出した弁棒上端6a又は他の上層ダイヤフラム９を貫通突出した連接弁棒32の上端32ａに連結可能と成している。
【００２９】
また、ユニット13は、凹型圧力室29の上方開口部周縁とダイヤフラム室31の下方開口部の夫々に上側フランジ13ａと下側フランジ13ｂを突設し、上側フランジ13ａには、バネカバー10のカバーフランジ10ａ又は他のユニット13の下側フランジ13ｂを接合し、下側フランジ13ｂには弁箱８のフランジ17ａの他のユニット13の上側フランジ13ａを接合し、この様に接合されたフランジ13ａ、13ｂ、10ａ、17ａ同士をボルトやナット等の締結部材（図示せず）を用いて接合固定する様に成している。
【００３０】
ユニット13内において、底板29ｂに設けた連接弁棒32の挿通口33は、弁口３より小径に形成され、該挿通口33に下方連続して所定長さの筒状部33ａを設け、該筒状部33ａの内壁を摺動するピストン34を連接弁棒32の下端32ｂを拡径形成することで設け、ピストン34に周設した凹溝にＯリング35を装着し、凹型圧力室29とダイヤフラム室31とを水密状に区画している。
【００３１】
ピストン34の直上に有する上層ダイヤフラム９は、その上下面の夫々がダイヤフラム押さえ36とダイヤフラム受け37で挟持されている。
【００３２】
上層ダイヤフラム９の上面に接合したダイヤフラム押さえ36は、雄ねじを螺刻した連接弁棒上端32ａが貫通し、該連接弁棒上端32ａは、ワッシャ38と所定高さのカラー39を挿通し、該カラー39より連接弁棒上端32ａが所定長さ突出する様に成している (図４〜６参照）。
【００３３】
上層ダイヤフラム９の下面に接合したダイヤフラム受け37は、連接弁棒32に一体形成されると共に、筒状部33ａより大径に形成され、上層ダイヤフラム９が最下限に変位した状態で、このダイヤフラム受け37が挿通口33の上端面に着座する様に設定している。
【００３４】
なお、バネカバー10に連結されるユニット13に限っては、連接弁棒上端32ａにワッシャ38とカラー39を挿通することなく連接弁棒上端32ａにナット40を螺着している（図３、６参照）。
【００３５】
そして、弁箱８のフランジ17ａとユニット13の下側フランジ13ｂを最下層ダイヤフラム７を介して接合して締結部材にて締結すると共に、最下層ダイヤフラム７より上方突出する弁棒上端6aを連接弁棒下端32ｂ（ピストン34）底面に螺刻した雌ねじに螺挿し、弁棒６と連接弁棒32を同一鉛直軸線上に一体的に連結する。
【００３６】
この際、ダイヤフラム室31内に弁バネ30を内装する場合（図４〜６参照）には、該弁バネ30に弁棒上端6aを遊挿すると共に、ユニット13のダイヤフラム室31の天板（底板）29ｂと最下層ダイヤフラム７の上面に設けたダイヤフラム押さえ21との間に弁バネ30を圧縮介装し、弁バネ30の弾性力を最下層ダイヤフラム７の上面に作用させる。
【００３７】
なお、弁バネ30は、調節バネ11の付勢力を、減圧弁に装備されるユニット13の数に応じた上層ダイヤフラム９の受圧面積の総数と最下層ダイヤフラム７の受圧面積とを合わせた合計受圧面積と二次側圧力との積に対応する弁体５の閉弁力に対応する様に調節できれば、図１〜３に示す様にダイヤフラム室31内に設置する必要はないが、減圧弁に使用されるユニット13の数に応じ上層ダイヤフラム９は増加するため、調節バネ11の付勢力だけでは、上記閉弁力に対応できなければ、図４〜６に示す様に、必要に応じ弁バネ30をユニット13のダイヤフラム室31内に適宜に収容設置する。
【００３８】
そして、バネカバー10と弁箱８の間に１基のユニット13を介装連結する場合では、上記の様に弁箱８にユニット13を載上連結した状態で、調節ねじ12下端に取付けたバネ受け41と、ユニット13の上層ダイヤフラム９の上面に設けたダイヤフラム押さえ36との間に調節バネ11を圧縮介装し、調節バネ11の弾性力を上層ダイヤフラム９の上面に作用させている（図１〜３参照）。
【００３９】
バネ受け41は、所定径を有する円形基板の上面中央に調節ねじ12の先端を受承する凹部41ａを設けると共に、その下面中央に扁平円柱状の膨出部41ｂを設け、該膨出部41ｂは、弁体５を閉弁方向に付勢する調節バネ11の上端を外嵌している。
【００４０】
また、バネカバー10と弁箱８の間に２基以上のユニット13を介装連結する場合では、段落番号〔００３５〕の記載事項と同様に、弁箱８にユニット13を載上連結した状態で、該ユニット13上に他のユニット13を１基以上積重する。
【００４１】
即ち、弁箱８上の下側のユニット13の上側フランジ13ａと、その上に積み重ねられる上側のユニット13の下側フランジ13ｂを、下側の上層ダイヤフラム９を介して接合して締結部材にて締結すると共に、下側の上層ダイヤフラム９より上方突出する連接弁棒上端32ａを、上側の上層ダイヤフラム９の連接弁棒下端32ｂ（ピストン34）の雌ねじに螺挿し、弁箱８上に１基以上のユニット13を多段積重し、弁棒６と各ユニット13の連接弁棒32を同一鉛直軸線上に一体的に連結し、最上段のユニット13には、該ユニット13の上層ダイヤフラム９上面のダイヤフラム押さえ36とバネカバー10のバネ受け41との間に調節バネ11を圧縮介装し、調節バネ11の弾性力を前記上層ダイヤフラム９の上面に作用させる様にして、バネカバー10を被冠する。
【００４２】
そして、調節ねじ12を上下に移動して調節バネ11と使用される弁バネ30の付勢力を調整し、最下層ダイヤフラム７と上層ダイヤフラム９の変位を調整している。
【００４３】
また、各ユニット13の凹型圧力室29は、上層ダイヤフラム９の下面に二次側圧力を作用させる様に、二次側流路２との間に二次側連通路42を接続しており、減圧弁に複数のユニット13を装備する場合、各凹型圧力室29に接続した二次側連通路42の夫々を二次側流路２に接続しても良いし、図４〜６に示す様に、二次側流路２に接続した二次側連通路42を各凹型圧力室29と分岐接続しても良い。
【００４４】
以上の様に構成された減圧弁は、二次側流路２に弁箱８内で連通する圧力検出室17と二次側流路２に二次側連通路42を介して連通する凹型圧力室29の二次側圧力による最下層ダイヤフラム７及び上層ダイヤフラム９への上向き（閉弁方向）の力と、図１〜３に示す減圧弁では調節バネ11のみ、図４〜６に示す減圧弁では調節バネ11及び弁バネ30による下向き（開弁方向）の力がバランスすることにより、弁体５の開度が制御され、二次側圧力を一次側圧力より低いある一定の圧力に保持する。
【００４５】
そして、本発明に係る減圧弁によれば、流量を増やすために弁口径を大きくすると、弁体の受圧面積が必然的に拡大し、弁体に対する開弁力が増大するため、この開弁力に対応する様にダイヤフラムを大径化しなければならないといった大型化が必定な従来の減圧弁に対し、従来の様にダイヤフラムを拡径することなく、既製の同形（最下層及び上層）のダイヤフラム７、９を多段化し、弁口３の拡径によって増大する弁体５の受圧面積と一次側圧力との積に対応する弁体５の開弁力に対する閉弁力を、最下層ダイヤフラム７及び上層ダイヤフラム９の延べ面積と二次側圧力の積で対応する様にしてダイヤフラムの遠心方向への減圧弁の大型化を回避する。
【００４６】
これにより、ダイヤフラムの遠心方向に拡径形成した従来の減圧弁では、これの拡径部分がその減圧弁を取付ける配管に隣接する別途配管やその他の機器に干渉するため、その拡径化した減圧弁の設置スペースの確保に困難を来たしたり、配管に対する減圧弁の取付位置や姿勢を変更するなどの手間を要するといった従来の不具合を解消できる。
【００４７】
また、ダイヤフラムを複数積層使用するにあたって、同一のユニット13を用いることにより、その組み付けを比較的簡単に行うことができ、しかも新たに開発する部品の数が減るので、その分のコストを下げることができる。
【符号の説明】
【００４８】
１    一次側流路
２    二次側流路
３    弁口
3a    二次側開口部端面
４    弁座
５    弁体
６    弁棒
6a    上端
７    最下層ダイヤフラム
８    弁箱
９    上層ダイヤフラム
10    バネカバー
10ａ  カバーフランジ
11    調節バネ
12    調節ねじ
13    上層ダイヤフラム追加ユニット
29    凹型圧力室
29ｂ  底板
30    弁バネ
31    ダイヤフラム室
32    連接弁棒
32ａ  上端
32ｂ  下端
【要約】
【課題】ダイヤフラムの遠心方向への大型化を回避する。
【解決手段】弁体５に弁棒６を介して連結され、二次側流路２の圧力変動で変位する最下層ダイヤフラム７を備えた弁箱８と、最下層ダイヤフラム７と同形の上層ダイヤフラム９周縁を圧接可能なカバーフランジ10ａを設けたバネカバー10との間に１基以上の上層ダイヤフラム追加ユニット13を介装連結し、当該ユニット13は、上層ダイヤフラム９で上方開口部29ａが閉塞され、二次側流路２に接続可能な凹型圧力室29と、これの底板29ｂで区画されて最下層又は他の上層ダイヤフラム７、９を被冠し、これらのダイヤフラム７、９を必要に応じ開弁方向へ付勢する弁バネを内装するダイヤフラム室31を設け、上層ダイヤフラム９の上下に連接弁棒32を貫通突設し、これの下端32ｂを底板29ｂに摺動自在に水密挿通して最下層及び他の上層ダイヤフラム７、９を貫通突出した弁棒上端6a又は連接弁棒上端32ａに連結する。
【選択図】図３【図１】
0006719068.tif 000002
【図２】
0006719068.tif 000003
【図３】
0006719068.tif 000004
【図４】
0006719068.tif 000005
【図５】
0006719068.tif 000006
【図６】
0006719068.tif 000007
【図７】
0006719068.tif 000008